(57)【要約】【課題】  構成の簡略化が可能であり、しかも液晶パネルにおける表示領域以外の領域での表示を加えることがないことによりコスト上昇も抑えることが可能な構成を備えた表示装置提供する。【解決手段】  複数の液晶パネル２０２を並置して備えている表示装置２００において、前記複数の液晶パネル２０２は、個々にあるいは隣り合うものと対応させて回動可能に設けられていることを特徴としている。【選択図】  図５
2006180940.tif 000002
【特許請求の範囲】
【請求項１】
複数の液晶パネルを並置して備えている表示装置において、
前記複数の液晶パネルは、個々にあるいは隣り合うものと対応させて回動可能に設けられていることを特徴とする表示装置。
【請求項２】
請求項１記載の表示装置において、
前記液晶パネルは、並置方向中央に位置する液晶パネルが固定若しくは回動可能に設けられ、該中央に位置する液晶パネルと隣接する液晶パネルは回動可能に設けられていることを特徴とする表示装置。
【請求項３】
請求項１または２記載の表示装置において、
前記液晶パネルは、並置方向に平行する幅方向中央若しくは一方側を回動支点として回動可能に設けられていることを特徴とする表示装置。
【請求項４】
請求項１乃至３のうちの一つに記載の表示装置において、
前記液晶パネルは、回動支点に連結されたモータにより直接駆動されて回動位置を設定されることを特徴とする表示装置。
【請求項５】
請求項１乃至３のうちの一つに記載の表示装置において、
前記液晶パネルは、単一で設けられた駆動源からの駆動力が伝達されて回動位置を設定されることを特徴とする表示装置。
【請求項６】
請求項１乃至５のうちの一つに記載の表示装置を用いることを特徴とする遊技機。
【発明の詳細な説明】
【技術分野】
【０００１】
本発明は、表示装置およびこれを用いた遊技機に関し、さらに詳しくは、液晶パネルを用いた表示構造に関する。
【背景技術】
【０００２】
周知のように、パチンコ遊技においては、遊技機に装備されている遊技盤面の遊技領域に設けられている各種入賞口にパチンコ球が入賞すると、その入賞口に設定されている所定数の賞球が払出されるようになっている。
【０００３】
一方、遊技領域には、複数の図柄や記号を変動表示可能な表示部が設けられており、図柄や記号が一定の組み合わせに揃った場合あるいは一定の条件を満たした場合に遊技盤面に設けてある大入賞口を開放して多くの賞球を払い出すようにした構成がある。
表示内容の抽選は、例えば、始動入賞口とは別に設けてあるパスゲート部と称される部材に設けられた通過センサの位置にパチンコ球が通過するのを検知することによっても開始されるようになっている。
【０００４】
表示部の構成の一つに液晶を用いた構成がある。
液晶パネルは、一枚のパネル内で抽選対象となる複数の数字あるいは図柄の変化状態あるいは遊技に関係する内容の動画などを表示することができるが、２次元表示が主体であるために視覚的な印象が単純であることは否めない。
【０００５】
そこで、表示内容を立体的に視認できるようにした構成が提案されている（例えば、特許文献１）。
上記特許文献１には、レンティキュラレンズを用いて裸眼による立体視ができる構成が開示されている。
一方、表示内容を立体視させるための構成としては、一枚の液晶パネル内で左右各目における視差を生じさせるための画像を生成する構成が提案されている（例えば、特許文献２）。
【０００６】
【特許文献１】特開平７−３１７２９号公報（段落「０００３」欄）
【特許文献２】特開２００４−７３３４０号公報（段落「００７４」欄）
【発明の開示】
【発明が解決しようとする課題】
【０００７】
しかし、特許文献１に開示された構成では、レンティキュラレンズの位置合わせが難しく組み立て作業性が悪いという問題がある。
そこで、特許文献２では、このような問題を解消する構成が提案されているが、右目および左目用の表示画像に奥行きがあるような印象を与える基準部となる補助表示部を右目および左目用の画像表示領域表示領域の外周に設けていることから、液晶表示パネルのサイズが大きくなり、比較的高価な液晶を使用しなければならないという問題がある。
【０００８】
本発明の目的は、上記従来の表示装置における問題に鑑み、構成の簡略化が可能であり、しかも液晶パネルにおける表示領域以外の領域での表示を加えることがないことによりコスト上昇も抑えることが可能な構成を備えた表示装置およびパチンコ遊技機を提供することにある。
【課題を解決するための手段】
【０００９】
請求項１記載の発明は、複数の液晶パネルを並置して備えている表示装置において、前記複数の液晶パネルは、個々にあるいは隣り合うものと対応させて回動可能に設けられていることを特徴としている。
【００１０】
請求項２記載の発明は、請求項１記載の表示装置において、前記液晶パネルは、並置方向中央に位置する液晶パネルが固定若しくは回動可能に設けられ、該中央に位置する液晶パネルと隣接する液晶パネルは回動可能に設けられていることを特徴としている。
【００１１】
請求項３記載の発明は、請求項１または２記載の表示装置において、前記液晶パネルは、並置方向に平行する幅方向中央若しくは一方側を回動支点として回動可能に設けられていることを特徴としている。
【００１２】
請求項４記載の発明は、請求項１乃至３のうちの一つに記載の表示装置において、前記液晶パネルは、回動支点に連結されたモータにより直接駆動されて回動位置を設定されることを特徴としている。
【００１３】
請求項５記載の発明は、請求項１乃至３のうちの一つに記載の表示装置において、前記液晶パネルは、単一で設けられた駆動源からの駆動力が伝達されて回動位置を設定されることを特徴としている。
【００１４】
請求項６記載の発明は、請求項１乃至５のうちの一つに記載の表示装置を遊技機に用いることを特徴としている。
【発明の効果】
【００１５】
請求項１記載の発明によれば、複数の液晶パネルが個々にあるいは隣り合うものと対応させて回動できるので、表示面そのものが奥行きを持って立体視できる対象となることにより、特別な表示領域などを設けることなく表示内容の立体的な視認が可能となる。
【００１６】
請求項２記載の発明によれば、並置方向中央に位置する液晶液晶パネルが固定若しくは回動可能に設けられ、これに隣接する液晶パネルが回動できるので、複数の液晶面の傾きを種々設定することができる。これにより、液晶面の向きに応じた奥行き感を得ることが可能となる。
【００１７】
請求項３記載の発明によれば、並置方向に平行する液晶面の幅方向中央あるいは一方側を回動支点として回動することができるので、奥行き深さを種々設定することが可能となり、立体視の印象を変化させることができる。
【００１８】
請求項４記載の発明によれば、液晶パネルが回動支点に連結されたモータで駆動されることにより液晶毎での回動角を設定することができる。これにより、奥行き深さを左右で異ならせることもできるので立体視の印象を種々変更することが可能となる。
【００１９】
請求項５記載の発明によれば、単一駆動源からの駆動力を複数の液晶パネルの回動力として伝達できるので、奥行き感を醸し出すための構成を簡略化することが可能となる。
【００２０】
請求項６記載の発明によれば、表示部での表示状態に遠近感を持たせることができることにより液晶パネルのサイズの大型化や特別な表示設定のための構成を要することなく液晶パネル自体で立体視を可能にすることができる。
【発明を実施するための最良の形態】
【００２１】
以下、図示実施例により本発明を実施するための最良の形態について説明する。
【実施例】
【００２２】
図１は、本実施例による表示装置が適用されるパチンコ遊技機を示す図である。
図１においてパチンコ遊技機１００は、外郭方形枠サイズに形成されて縦長の固定保持枠を構成する外枠１の開口前面に、外枠１に合わせて方形枠サイズに形成された開閉搭載用の前枠２を備えている。
前枠２は、外枠１の正面左側上下に取り付けられたヒンジ金具３Ａ、３Ｂにより外枠１に対して開閉可能に取り付けられ、さらに、外枠１の正面右側に設けられた施錠装置４によって閉鎖状態に保持されるようになっている。
前枠２の上部領域には、遊技盤３が配置されており、遊技盤３は、所定板厚の積層合板の裏側にセルを貼り付けてルーター（役物取り付け孔）加工した化粧板を基板とし、その前面側には図示しないが、環状に取り付けられたガイドレールに囲まれて略円形状の遊技領域６が設けられている。
【００２３】
遊技領域６には、略中央部に本実施例による表示装置が設置される窓部で構成された表示部６ａが設けられている。
表示部６ａの周りにはセンター飾り６ｂや始動入賞口６ｃおよび大入賞口６ｄなどがそれぞれ配置されている。遊技領域下部にはアウト球を回収するアウト口も設けられており、始動入賞口や大入賞口に入賞せずに落下したアウト球を遊技盤３の背面側から機外に排出できるようになっている。
【００２４】
また、前枠２の前面上部側には、遊技盤３を視認できるように透明なガラス盤を備えた前扉７が水平方向に開閉可能かつ着脱可能に設けられ、通常は、施錠装置４により閉鎖状態に保持されて遊技盤３の前面を覆っている。
前枠２の前面下部側で前扉７の下方には、球受け皿を構成している一体皿８が、前枠２に開閉支持されている背面板（図示されず）に取り付けられて設けてあり、一体皿８は、図示しない施錠装置により通常、閉鎖状態に保持されている。
一体皿８には、パチンコ球が存在する皿部だけではなく、皿部の正面右側下部に発射ハンドル９が、そして、正面左側下部に灰皿１０等が設けられている。
【００２５】
図２は、本実施例による表示装置の要部構成を示す図であり、同図において表示装置２００は、遊技盤３に設けてある表示窓で構成された表示部６ａから表面に突出することができる表示枠２０１および表示枠２０１に装着された複数の液晶パネル２０２とを主要部として備えている。
表示枠２０１は、遊技盤３の裏面に固定されて支持される部材であり、その表面部２０１Ａにおける下面内側が、図示しないが、パチンコ球を下方に導く傾斜面で構成された誘導路として用いられるようになっている。
表示枠２０１は表面部２０１Ａと裏面部２０１Ｂとを備え、これら各面部で構成されている閉空間内に液晶パネル２０２が装填されている。
【００２６】
図３は、表示枠２０１の裏面部２０１Ｂを示しており、同図において裏面部２０１Ｂは、液晶パネル２０２の回動軌跡に倣った形状の壁面構造とされている。
裏面部２０１Ｂには、その下部に複数の液晶パネルのそれぞれに対応して設けられた駆動モータ２０３が背面部２０１Ｂの背面壁に設けられている支持板を介して支持され、そして背面の一部には、液晶パネルの駆動部から延長されたフレキシルブルプリント板ＦＰを引き出すための開口部２０１Ｂ１がそれぞれ設けられている。なお、図３においては、駆動モータ２０３に関して中央の液晶パネル２０２に隣接する液晶パネル２０２を対象とするものは、配置関係を示すだけとして、鎖線により示してある。
図３に示す構成では駆動モータ２０３が裏面部２０１Ｂの背面壁よりも後側に露出させて配置されているが、これは、液晶パネル２０２の下方に設置スペースがない場合を対象としているためであり、設置スペースを設けることが許される場合には液晶パネル２０２の有する回動支軸（後で説明する）に直接連結することも可能である。
【００２７】
液晶パネル２０２は、表示部６ａの長手方向に沿って並置されており、その並置方向に沿って図４に示す支持構造により回動可能に設けられている。なお、図４は、液晶パネル２０２の駆動に関する部材の配置関係のみが示されており、図３に示した裏面部２０１Ｂは省略してある。
図４において液晶パネル２０２は、支持フレーム２０２Ａに嵌め込まれ、支持フレーム２０２Ａは、上下各面において並置方向に平行する幅方向中央において回動支点を構成する回動支軸２０２Ｂがそれぞれ設けられており、そのうちの一方、図４では、下側に位置する回動支軸２０２Ｂには従動ギヤ２０４が設けられている。
【００２８】
本実施例においては、各液晶パネル２０２がそれぞれ独自に駆動されるようになっており、このため各液晶パネル２０２の支持フレーム２０２Ａに設けられている回動支軸には同じように従動ギヤ２０４が設けられている。
従動ギヤ２０４には、表示枠２０１の裏面部２０２Ｂに取り付けられている駆動源である駆動モータ２０３の出力軸に取り付けられた駆動ギヤ２０３Ａが噛み合わされて駆動モータ２０３に回動支点が連結された関係とされている。本実施例では、駆動モータ２０３として回動位置を制御可能なステッピングモータが用いられている。
【００２９】
本実施例では、駆動モータ２０３の回動制御に応じて複数の液晶パネル２０２が回動支軸２０２Ｂを中心として回動できるようになっており、回動方向によって液晶パネル自体に幅方向で奥行きを持たせることができるようになっている。つまり、液晶パネル２０２の表面が２次元的な面ではなく奥行きを持った３次元的な面として構成されることになる。本実施例における液晶パネル２０２の回動量は、表示枠２０１における裏面部２０１Ｂに設けられている開口２０１Ｂ１が外部に露呈しない回動量とされており、このため、回動した際の液晶パネル同士の端部間での隙間を極力少なくできるようになっている。
【００３０】
液晶パネル２０２は、回動形態によって相互の液晶面の向きを異ならせることができ、図５（Ａ）において実線で示した初期位置から゜鎖線で示すように、各駆動モータ２０３で設定された回動量を以て隣り合う液晶パネル２０２の向きを相反する向きとすると、奥行きを持った液晶パネル面にうねりを与えた状態とすることができる。これにより、各液晶パネル面同士で連続した動画などを表示すると、図５（Ｂ）に示すように、動画が奥側に遠ざかるような状態と手前側に迫ってくるような状態とを印象づけることができる。
【００３１】
一方、回動支点を構成する回動支軸２０２Ｂの位置を図４および５に示したように、各液晶パネル２０２の全てを対象とした幅方向中央ではなく、図６（Ａ）に示すように、並置方向中央に位置する液晶パネル２０２の回動支軸２０２Ｂの位置を幅方向中央とし、これに隣接する液晶パネル（図６（Ａ）中、符号２０２’で示す）の回動支点は並置方向中央の液晶パネル２０２の端部側に寄った位置にそれぞれ設けて幅方向一方側とする（図６（Ａ）中、符号２０２Ｂ’で示す位置）。
これにより、回動端部までの半径の違いを利用して奥側への移動量を大きくすることができるので、図６（Ｂ）に示すように、遊技者の視点位置からの奥行き感が大きくなることを利用して立体感も大きく印象づけることができる。
【００３２】
本実施例によれば、液晶パネル２０２自体を回動させるだけで液晶表示面そのものに奥行きを持たせることができるので、視差を設定するための特別な表示部などを設けることなく液晶パネル自体で立体視ができる状態とすることができる。
上記説明した実施例では、各液晶パネル２０２毎に駆動モータ２０３が設けられているので、各液晶パネル２０２を個々に独立して回動させることが可能であり、上記説明した回動パターンに限らず、任意の回動位置に変更することが可能である。或は、液晶パネル２０２の回動位置に限らず、回動状態即ち各液晶パネル２０２の回動態様（動いている態様）により、特定の演出を行うことも可能である。例えば、液晶パネル２０２にうちわを表示し、液晶パネル２０２を所定範囲で往復回動させることにより、あたかもうちわを扇いでいる状態を演出することができる。
また、液晶パネル２０２の両面に、液晶画面を設け、１８０°回転させることにより、全く別の画面を表側に現す構成としてもよい。
【００３３】
次に実施例の要部変形例について説明する。
上記実施例においては、液晶パネルの回動が個々に設けられた駆動モータ２０３によって行われていたが、本実施例では、これに代えて、単一駆動源による駆動力伝達を行うことも可能である。
図７は、この場合の構成に関する液晶パネルの平面視的模式図であり、同図において液晶パネル２０２のうちで並置方向中央に位置する液晶パネル２０２の回動支軸２０２Ｂには、図示しないクラッチを介して駆動モータ２０３が連結されて直接液晶パネル２０２を回動させる場合と駆動を断つ場合とを選択できるようになっていると共に、中央に位置する液晶パネル２０２に隣接する液晶パネル２０２には、駆動モータ２０３が設けられていない代わりにリンクレバー２０６，２０７の延長方向一端がヒンジ結合されている。
【００３４】
リンクレバー２０６，２０７の延長方向一端のヒンジ結合部は、図８に示すように、液晶パネル２０２を装着されている支持フレーム２０２Ａの上面あるいは下面において回動支点よりも偏倚した位置に設けたピン２０２Ａ１にリンクレバー側の長穴を嵌合させることで構成されており、回動支点から偏倚した位置での作用点をなしている。
【００３５】
一方、並置方向中央に位置する液晶パネル２０２の駆動モータ２０３には、出力軸の回転に連動して回動可能な回転部材２０８が一体化されており、回転部材２０８における長手方向両端にはリンクレバー２０６，２０７の延長方向他端がヒンジ結合されている。
【００３６】
リンクレバー２０６，２０７における延長方向一端は、並置方向中央に位置する液晶パネル２０２と隣り合う液晶パネル２０２同士を相反する方向に回動させることができる位置にヒンジ結合されている。つまり、隣接する液晶パネルのうちで一方の液晶パネル２０２側では回動支点に対して中央の液晶パネル２０２から離れた位置に、そして他方の液晶パネル２０２側では回動支点に対して中央の液晶パネル２０２に近くなる位置にそれぞれヒンジ結合されている。
中央位置の液晶パネル２０２に隣接する液晶パネル２０２同士を相反する方向に同じ回動量を以て回動させる場合を考慮して、本構成では、図７において符号Ｓ１，Ｓ２およびＤ１，Ｄ２で示すように、隣接する液晶パネル同士が相対方向（反対方向）に回動してかつ、同じ回動量を得られる寸法関係、つまり同じ寸法ではない関係に設定されている。なお、図７において符号Ｌ１，Ｌ２は、液晶パネル２０２，２０２’の厚さ方向中心線を示しており、並置方向中央の液晶パネル２０２が回動しない状態で回転部材２０８が符号Ｒで示す方向に回動した際に並置方向中央の液晶２０２に隣接する液晶パネル２０２’の移動位置が中心線Ｌ２’で示してある。
【００３７】
本構成では、図７において符号Ｒで示すように並置方向中央に位置する液晶パネル２０２が駆動モータ２０３からの駆動力を受けて回動する場合と回動しない場合とが前述したクラッチにより選択できるようになっている。このため、中央位置の液晶パネル２０２に対して駆動モータ２０３からの駆動力が伝達されない場合において駆動モータ２０３が駆動されると、回動部材２０８のみが回動し、これに連動してリンクレバー２０６，２０７が牽引されることにより中央位置の液晶パネル２０２に隣接する液晶パネル２０２’同士が相反する方向に回動することができる。
このような構成を用いた場合においても、駆動源を簡略化した状態で液晶パネル同士の動作に応じて図５および図６に示した場合と同様な表示状態を得ることができる。
以上説明した表示装置は、パチンコ遊技機に限らず、スロットマシンなどの他の遊技機に搭載することもできる。
【図面の簡単な説明】
【００３８】
【図１】本発明実施例による表示装置が適用されるパチンコ遊技機の正面図である。
【図２】本発明実施例による表示装置の要部外観を示す斜視図である。
【図３】図２に示した表示装置の後側を示す斜視図である。
【図４】図２に示した表示装置に用いられる液晶パネルの支持構造を説明するための図である。
【図５】本発明実施例による表示装置を用いた表示状態の一態様を説明するための図であり、（Ａ）は、液晶パネルの平面視的な模式図、（Ｂ）はパチンコ遊技機正面から見た図である。
【図６】本発明実施例による表示装置を用いた表示状態のに関する他の態様を説明するための図であり、（Ａ）は、液晶パネルの平面視的な模式図、（Ｂ）はパチンコ遊技機正面から見た図である。
【図７】図２に示した表示装置における液晶パネルの回動機構に関する変形例を説明するための模式図である。
【図８】図７に示した回動機構に用いられる液晶パネルの支持構造を示す図である。
【符号の説明】
【００３９】
１００              パチンコ遊技機
６                  表示領域
６ａ                表示部
２００              表示装置
２０１              表示枠
２０１Ａ            表面部
２０１Ｂ            裏面部
２０２，２０２’    液晶パネル
２０２Ａ            支持フレーム
２０３              駆動モータ
２０３Ａ            駆動ギヤ
２０４              従動ギヤ
【図１】
2006180940.tif 000003
【図２】
2006180940.tif 000004
【図３】
2006180940.tif 000005
【図４】
2006180940.tif 000006
【図５】
2006180940.tif 000007
【図６】
2006180940.tif 000008
【図７】
2006180940.tif 000009
【図８】
2006180940.tif 000010